(57)【要約】【課題】美容効果の向上が図られる美容器を提供する。【解決手段】美容器１は、ハンドル３、軸部２、ローラー４及び付勢部材５を有している。ハンドル３は、一対のサブハンドル部３３ａ、３３ｂと、一対のサブハンドル部３３ａ、３３ｂを開閉可能に連結する連結部３４とを備えている。軸部２は、一対のサブハンドル部３３ａ、３３ｂにそれぞれ支持されている。ローラー４は、軸部２に配設されると共に、軸部２の軸線Ａを中心に回転可能に支持されている。付勢部材５は、一対のサブハンドル部３３ａ、３３ｂの相対位置関係を初期状態に戻すための付勢力を発生させるように構成されている。そして、連結部３４は、一つの回動支点としてのハンドル軸３４０を有し、一対のサブハンドル部３３ａ、３３ｂは、回動支点を中心として回動して開閉動作するように構成されている。【選択図】図５
2018191898.tif 000002
【特許請求の範囲】
【請求項１】
一対のサブハンドル部と、該一対のサブハンドル部を開閉可能に連結する連結部とを備えたハンドルと、
上記一対のサブハンドル部にそれぞれ支持された軸部と、
該軸部に配設されると共に、上記軸部の軸線を中心に回転可能に支持されたローラーと、
上記一対のサブハンドル部の相対位置関係を初期状態に戻すための付勢力を発生させる付勢部材と、を有し、
上記連結部は、一つの回動支点を有し、
上記一対のサブハンドル部は、上記回動支点を中心として回動して開閉動作するように構成されている、美容器。
【請求項２】
上記一対のサブハンドル部は、上記回動支点を中心に回動する際に上記一対のサブハンドル部がねじれることを防止するねじれ防止部材を有する、請求項１に記載の美容器。
【請求項３】
上記一対のサブハンドル部は、該一対のサブハンドル部の外表面を形成する外表形成部を有し、上記ねじれ防止部材は、上記外表形成部の内側に配設されるとともに、上記外表形成部よりも高い剛性を有する芯材からなる、請求項２に記載の美容器。
【請求項４】
上記芯材は、上記一対のサブハンドル部の長手方向において、上記一対のサブハンドル部の長手方向の長さの半分以上にわたって設けられている、請求項３に記載の美容器。
【請求項５】
上記芯材は、上記一対のサブハンドル部の長手方向において、上記一対のサブハンドル部の全体にわたって設けられている、請求項３に記載の美容器。
【請求項６】
一対の上記芯材は、それぞれその端部に貫通孔を有し、上記連結部の上記回動支点は、上記一対の芯材の上記貫通孔を同一軸線上に重ねて、該貫通孔にハンドル軸を挿通することにより構成されている、請求項３〜５のいずれか一項に記載の美容器。
【請求項７】
上記芯材は、上記貫通孔が設けられた端部と反対側の端部に上記軸部を支持する軸支持部が設けられている、請求項６に記載の美容器。
【請求項８】
一対のサブハンドル部と、該一対のサブハンドル部を開閉可能に連結する連結部とを備えたハンドルと、
上記一対のサブハンドル部にそれぞれ支持された軸部と、
該軸部に配設されると共に、上記軸部の軸線を中心に回転可能に支持されたローラーと、
上記一対のサブハンドル部の相対位置関係を初期状態に戻すための付勢力を発生させる付勢部材と、を有し、
上記連結部は、回動支点を有し、
上記一対のサブハンドル部は、上記回動支点を中心として回動して開閉動作するように構成されているとともに、上記回動支点を中心に回動する際に上記一対のサブハンドル部がねじれることを防止するねじれ防止部材を有する、美容器。
【発明の詳細な説明】
【技術分野】
【０００１】
本発明は、身体各部の美容のために用いる美容器に関する。
【背景技術】
【０００２】
肌の美容のために、ローラーを肌に押し当てつつ回転させて用いる美容器が知られている。この種の美容器として、二股に分岐した形状を呈する本体部と、本体部の先端にそれぞれ取り付けられたローラーとを有し、一対のローラーの間に使用者の身体各部を挟みこんで使用する美容器がある（例えば、特許文献１）。このような美容器の例として、特許文献１には、先端に一対のローラーが回転可能に支持された一対のサブハンドル部と、該一対のサブハンドル部の他端を互いに連結する連結部とを有するハンドルを備えた美容器が開示されている。そして、特許文献１の構成では、連結部において、一対のサブハンドル部は所定範囲で回動して開閉可能なように支持されているとともに、一対のサブハンドル部が弾性変形することにより、回動範囲を超えて開くことができるようになっている。さらに、特許文献１に開示の美容器は、一対のサブハンドル部の開閉状態を初期状態に戻すように一対のサブハンドル部を付勢する付勢部材を備えている。当該美容器では、一対のサブハンドル部を一括して把持してローラーを肌面に押し当てつつ回転させることにより、一対のローラーの間で肌面を摘み上げて美容効果を奏することができる。
【先行技術文献】
【特許文献】
【０００３】
【特許文献１】特開２０１５−１６３１７７号公報
【発明の概要】
【発明が解決しようとする課題】
【０００４】
しかしながら、特許文献１に開示の構成では、連結部において一対のサブハンドル部はそれぞれ個別の回動支点で回動するように構成されている。そのため、一対のサブハンドル部を一括して把持して使用する場合に、一対のサブハンドル部における相対的な力加減の調節が難しく、肌面の摘み上げを十分に行えない場合がある。また、一対のサブハンドル部を初期状態に戻すための付勢力を、一対のサブハンドル部が個別の回動支点で回動することを考慮して発生させる必要があるため、付勢部材の設計自由度が低下していた。
【０００５】
本発明は、かかる背景に鑑みてなされたものであり、美容効果の向上が図られる美容器を提供しようとするものである。
【課題を解決するための手段】
【０００６】
本発明の一態様は、一対のサブハンドル部と、該一対のサブハンドル部を開閉可能に連結する連結部とを備えたハンドルと、
上記一対のサブハンドル部にそれぞれ支持された軸部と、
該軸部に配設されると共に、上記軸部の軸線を中心に回転可能に支持されたローラーと、
上記一対のサブハンドル部の相対位置関係を初期状態に戻すための付勢力を発生させる付勢部材と、を有し、
上記連結部は、一つの回動支点を有し、
上記一対のサブハンドル部は、上記回動支点を中心として回動して開閉動作するように構成されている、美容器にある。
【発明の効果】
【０００７】
上記美容器では、一対のサブハンドル部は、連結部が有する一つの回動支点を中心として回動して開閉動作するように、連結部によって連結されている。これにより、一対のサブハンドル部が個別の回動支点で回動する場合に比べて、一対のサブハンドル部における相対的な力加減の調節が容易となる。その結果、肌面の摘み上げを行いやすくなり、美容効果の向上が図られる。また、一対のサブハンドル部を初期状態に戻すための付勢力についても、一対のサブハンドル部が個別の回動支点で回動することを考慮する必要がないため、付勢部材の設計自由度の低下が防止される。
【０００８】
また、一対のサブハンドル部は一対のローラーの軸部を支持するとともに、開閉可能に連結されている。これにより、使用者は、美容効果を得たい部分に一対のローラーを押し当てることにより一対のサブハンドル部を押し広げることができ、使用する部位の形状に応じて一対のローラーの間隔を適宜調整できる。その結果、上記美容器は、顔や腕等の比較的起伏の大きい部分から腹部等の比較的起伏の小さい部分まで好適に使用することができるものとなる。
【０００９】
また、上記美容器は、使用者が一対のサブハンドル部の開閉の度合いを調節することにより、美容効果を得たい部分に加わる押圧力を容易に調節することができる。そのため、上記美容器は、取り扱いが容易である。また、一対のローラーによる押圧力により、押圧される部分の肌の血行が促進されたり、新陳代謝を活性化するなどの効果が期待でき、ひいては肌を美しくする等の優れた美容効果を期待できる。
【００１０】
また、上記美容器は、上記一対のサブハンドル部の相対位置関係を初期状態に戻すための付勢力を発生させる付勢部材を有している。これにより、一対のサブハンドル部が開く方向に回動して一対のローラーの間隔が広がった状態において、付勢部材による付勢力が各々のローラーに作用して一対のローラーが互いに近づく方向に付勢される。そのため、一対のローラーの間に挟み込まれた部分に適度に大きな押圧力を加えることができる。その結果、より優れた美容効果を期待できる。
【００１１】
以上のごとく、本発明によれば、美容効果の向上が図られる美容器を提供することができる。
【図面の簡単な説明】
【００１２】
【図１】実施例１における、美容器の斜視図。
【図２】実施例１における、美容器の上面図。
【図３】実施例１における、美容器の側面図。
【図４】実施例１における、美容器をローラー側から見た前面図。
【図５】実施例１における、美容器の分解斜視図。
【図６】図２のVI−VI線矢視断面図。
【図７】実施例１における、使用態様を説明するための上面一部拡大図。
【図８】実施例１における、連結部の構成を示す上面側斜視図。
【図９】実施例１における、連結部の構成を示す下面側斜視図。
【図１０】図２のＸ−Ｘ線矢視断面一部拡大図。
【図１１】実施例１における、太陽電池部の下面側斜視図。
【図１２】比較例における、美容器の連結部の構成を示す上面透過図。
【発明を実施するための形態】
【００１３】
本明細書において、上記「初期状態」とは、上記美容器が使用されておらず、一対のローラーの間に美容効果を得たい部分が挟み込まれていない状態をいう。
【００１４】
上記一対のサブハンドル部は、上記回動支点を中心として回動する際に上記一対のサブハンドル部がねじれることを防止するねじれ防止部材を有することが好ましい。一対のローラーを肌面に押し当てたときに、一対のサブハンドル部がねじれるように変形すると、一対のサブハンドル部に支持された軸部の軸線の傾斜角度が変化する。これにより、当該軸部に支持された一対のローラーによる肌面の摘み上げが十分に行えず、美容効果が低下するおそれがある。しかし、上述のごとく、ねじれ防止部材を有することにより、一対のサブハンドル部がねじれるように変形することが防止されるため、一対のサブハンドル部が支持する軸部の軸線の傾斜角度が維持される。その結果、一対のローラーによる肌面の摘み上げを十分に行うことができ、美容効果の低下が防止される。ねじれ防止部材としては、剛性の高いものであれば、種々の態様をとることができる。
【００１５】
上記一対のサブハンドル部は、該一対のサブハンドル部の外表面を形成する外表形成部を有し、上記ねじれ防止部材は、上記外表形成部の内側に配設されるとともに、上記外表形成部よりも高い剛性を有する芯材からなることが好ましい。この場合は、ねじれ防止部材としての芯材により一対のサブハンドル部のねじれを防止して美容効果の低下を防止することができるとともに、外表形成部により、使用者が把持しやすい形状としたり、高い意匠性を奏する形状としたりするなどの設計自由度を高めることができる。
【００１６】
芯材の形状及び材質は、一対のサブハンドル部のねじれ方向等への剛性が十分に高いものであれば、種々の態様をとることができる。例えば、上記芯材として金属板を用いることにより、芯材の剛性を十分に高くすることができる。また、ステンレス鋼板等の比較的強度の大きい金属板を用いる、あるいは、板厚を厚くする等の方法により、芯材の剛性をより高くすることができる。通常は、芯材としてステンレス鋼板を用いることにより、十分な剛性を得ることができ、一対のサブハンドル部のねじれを防止して美容効果の低下を防止することができる。
【００１７】
上記芯材は、上記一対のサブハンドル部の長手方向において、上記一対のサブハンドル部の長手方向の長さの半分以上にわたって設けられていることが好ましい。この場合は、一対のサブハンドル部の剛性が高まって一対のサブハンドル部のねじれを一層防止することができる。
【００１８】
そして、上記一対の芯材は、上記一対のサブハンドル部の長手方向において、上記一対のサブハンドル部の全体にわたって設けられていることが更に好ましい。この場合は、一対のサブハンドル部の剛性が一層高まって一対のサブハンドル部のねじれをより一層防止することができる。
【００１９】
一対の上記芯材は、それぞれその端部に貫通孔を有し、上記連結部の上記回動支点は、上記一対の芯材の上記貫通孔を同一軸線上に重ねて、該貫通孔にハンドル軸を挿通することにより構成されていることが好ましい。この場合は、簡易な構成で一対のサブハンドル部を一つの回動支点で回動させることができる。
【００２０】
上記芯材は、上記貫通孔が設けられた端部と反対側の端部に上記軸部を支持する軸支持部が設けられていることが好ましい。この場合には、使用者が一対のサブハンドル部の開閉の度合いを調節することにより、一対のローラーの間隔を変更できる。そのため、一対のサブハンドル部の開閉動作の大きさと、一対のローラーの間隔の変化量との関係が使用者にとって感覚的に把握し易くなる。また、一対のサブハンドル部の開閉の度合いを調節することにより、美容効果を得たい部分に加わる押圧力を容易に調節することができる。その結果、美容器をより扱い易くすることができ、より優れた美容効果を期待できる。
【００２１】
上記一対の軸部は、初期状態において、上記ハンドル側の基部から先端側へ向かうにつれて上記一対の軸線の間隔が広がる拡開状態となるよう配置されていてもよい。この場合には、上記美容器を肌に押し当てる際に、上記一対のローラーの間隔を容易に押し広げることができる。その結果、上記美容器は、使用者にとってより扱い易いものとなる。
【００２２】
また、上記付勢部材には、例えば、ばね部材やゴム等を用いることができる。これらのうち、上記付勢部材としては、金属製のばね部材を用いることが好ましい。金属製のばね部材は、上記付勢力を適度に大きくし易い。そのため、上記美容器の使用により、より優れた美容効果を期待できる。
【００２３】
また、上記初期状態において、上記一対のローラーが互いに離隔していてもよい。この場合には、美容効果を得たい部分に上記一対のローラーを押し当てた際に、上記ローラーの間に当該部分がある程度挟み込まれた状態を自然に実現することができる。これにより、美容効果を得たい部分を上記ローラーの間に挟みこむ動作をより容易に行うことができ、使用者にとってより扱い易いものとなる。なお、上記初期状態において、上記一対のローラーが互いに離隔している場合には、上記初期状態における上記一対のローラーの間隔は、１〜５０ｍｍの範囲で適宜設定することができる。
【００２４】
また、上記一対の軸部は、常に、上記拡開状態となるよう配置されていてもよい。この場合には、一対のローラーの間に挟まれた部分において体感する押圧力を適度に大きくし、優れた美容効果を期待できると共に、美容器の扱い易さをより向上させることができる。
【００２５】
また、上記ハンドルは、上記一対の軸線を含む平面に対して傾いていることが好ましい。この場合には、上記ハンドルが肌面に沿うようにして上記一対のローラーを肌面に押し当てることにより、上記一対の軸線を含む平面が肌面に対して傾斜した状態となる。そして、この状態を維持しつつ上記美容器を動かすことにより、一対のローラーにより摘み上げられるように美容効果を得たい部分を変形させることができる。その結果、上記美容器の使用により、より優れた美容効果を期待できる。
【００２６】
また、上述した肌を摘み上げる作用は、一対のローラーの間隔によって変化し、一対のローラーの間隔を適切な範囲に保つことにより、上記作用を確実に体感させることができる。それ故、上記ハンドルが上記一対の軸線を含む平面に対して傾いている場合には、さらに開閉規制手段を設けることにより、上記作用を確実に体感させることができ、ひいてはより優れた美容効果を期待できる。
【００２７】
また、上記ローラーは、略球体形状とすることができる。この場合には、上記ローラーによる押圧力が、一対のローラーの間に挟まれた部分に集中し易くなるため、体感できる押圧力を十分に大きくでき、より優れた美容効果を期待できる。また、この場合には、上記一対のローラーを肌に押し付けつつ回転させる動作をよりスムーズに行うことができ、美容器の扱い易さをより向上させることができる。
【００２８】
なお、上述した略球体形状には、真球と、回転楕円体や涙滴形状等の一般的な感覚として球形と認められる程度に真球を歪めてなる形状が含まれる。また、上記ローラーは、滑らかな曲面より構成された表面を有していても良く、例えば多数の三角形や四角形等により構成された表面を有する多面体であってもよい。上記ローラーが多面体である場合には、滑らかな曲面より構成された表面を有するローラーに比べて、ローラーの表面が肌に対して滑ることを抑制でき、より優れた美容効果を期待できる。
【００２９】
また、上記ハンドルは太陽電池パネルを有しており、該太陽電池パネルの起電力により、上記ローラーと接触する人体肌に電流を流すことができるよう構成されていてもよい。この場合には、人体肌に流れる電流により、皮膚細胞が活性化され、リンパの流れがよくなったり、血行が促進されたり、新陳代謝が向上されたりする等の効果を発揮する可能性がある。その結果、上記美容器の使用により、より優れた美容効果を期待できる。
【００３０】
本発明の他の態様は、一対のサブハンドル部と、該一対のサブハンドル部を開閉可能に連結する連結部とを備えたハンドルと、
上記一対のサブハンドル部にそれぞれ支持された軸部と、
該軸部に配設されると共に、上記軸部の軸線を中心に回転可能に支持されたローラーと、
上記一対のサブハンドル部の相対位置関係を初期状態に戻すための付勢力を発生させる付勢部材と、を有し、
上記連結部は、回動支点を有し、
上記一対のサブハンドル部は、上記回動支点を中心として回動して開閉動作するように構成されているとともに、上記回動支点を中心に回動する際に上記一対のサブハンドル部がねじれることを防止するねじれ防止部材を有する、美容器にある。
当該美容器によれば、ねじれ防止部材により、一対のサブハンドル部がねじれるように変形することが防止されるため、一対のサブハンドル部が支持する軸部の軸線の傾斜角度が維持される。その結果、一対のローラーによる肌面の摘み上げを十分に行うことができ、美容効果の低下が防止される。ねじれ防止部材としては、剛性の高いものであれば、種々の態様をとることができる。
【実施例】
【００３１】
（実施例１）
上記美容器の実施例について、図１〜図８を用いて説明する。
本実施例の美容器１は、図１及び図５に示すように、ハンドル３、軸部２、ローラー４、付勢部材５を有している。
ハンドル３は、一対のサブハンドル部３３ａ、３３ｂと、一対のサブハンドル部３３ａ、３３ｂを開閉可能に連結する連結部３４とを備えている。
軸部２は、一対のサブハンドル部３３ａ、３３ｂにそれぞれ支持されている。
ローラー４は、図３、図４に示すように、軸部２に配設されると共に、軸部２の軸線Ａを中心に回転可能に支持されている。
付勢部材５は、図５及び図６に示すように、一対のサブハンドル部３３ａ、３３ｂの相対位置関係を初期状態に戻すための付勢力を発生させるように構成されている。
そして、連結部３４は、一つの回動支点としてのハンドル軸３４０を有し、一対のサブハンドル部３３ａ、３３ｂは、回動支点を中心として回動して開閉動作するように構成されている。
【００３２】
本実施例の美容器１について、以下に詳述する。
図１及び図２に示すように、美容器１は略Ｕ字状を呈するハンドル３を有している。ハンドル３の二股に分かれた先端には、一対のローラー４が互いに並んで配置されている。一対のローラー４は、それぞれ、図５に示すように、ハンドル３の先端に設けられた軸部２を介して、ハンドル３に回転可能に支持されている。また、図３に示すように、美容器１は、一対のローラー４の並び方向から見て略弧状を呈するように湾曲している。
【００３３】
以下において、一対のローラー４の並び方向を「側方方向」、当該側方方向から見たときのローラー４とハンドル３の把持部３２との並び方向を「前後方向」ということがある。また、前後方向における把持部３２からローラー４に向かう方向を「前方」といい、ローラー４から把持部３２に向かう方向を「後方」ということがある。また、美容器１を側方方向から見た時の略弧状形状における、凸形状側を「上方」といい、凹形状側を「下方」ということがある。これらの方向に関する記載は便宜上のものであり、美容器１を使用する際の実際の方向とは何ら関係がない。
【００３４】
図１〜図４に示すように、ハンドル３は、軸部２を支持する軸支持部３１が、それよりも後方の把持部３２の長手方向に対して斜め下方を向くように屈曲されている。つまり、図２に示す上面視及び図４に示す前面視において、ハンドル３の軸支持部３１は、前方へ向かうにつれて側方方向における外側へ広がっている。また、図４に示すように、軸支持部３１にそれぞれ支持された軸部２は、軸支持部３１とともに、前方へ向かうにつれて外側に広がるように延設されている。これにより、一対の軸部２は、初期状態において、ハンドル３側の基部から先端側（前方）へ向かうにつれて一対の軸線Ａの間隔が広がる拡開状態となるよう配置されている。なお、本例の美容器１における一対の軸線Ａのなす角θ（図４参照）は７０°である。一対の軸線Ａのなす角θは、３０〜１２０°の間で適宜設定することができ、５０〜９０°の範囲であることがより好ましい。
【００３５】
また、図３に示す側面視において、ハンドル３の軸支持部３１は、把持部３２の長手方向に対して斜め下方を向いている。そして、軸支持部３１にそれぞれ配設された軸部２は、軸支持部３１とともに斜め下方へ向けて延設されている。そのため、ハンドル３の把持部３２は、一対の軸線Ａを含む平面Ｐに対して傾いている。
【００３６】
図２及び図３に示すように、軸部２を介してハンドル３に支持さハンドル３とローラー４との間には、ローラー４の表面にはチタンめっきが施されており、電気伝導性が付与されている。ローラー４の表面は、後述する太陽電池パネル６と電気的に接続されている。なお、本例の美容器１は、初期状態における一対のローラー４の間隔ｄ（図４参照）が１０ｍｍとなるように構成されている。また、本例のローラー４は、軸線Ａに垂直な断面における直径を、１５〜６０ｍｍの範囲から適宜選択することができる。
【００３７】
また、図１、図２に示すように、ハンドル３の後方には、連結部３４が設けられている。図５及び図８に示すように、連結部３４には、後述する付勢部材５としてのばね部材５１及び開閉規制部としての規制ピン５２が設けられている。
【００３８】
図１、図２及び図５に示すように、ハンドル３は、軸部２（図５参照）をそれぞれ支持する一対のサブハンドル部である第１サブハンドル部３３ａ及び第２サブハンドル部３３ｂと、一対のサブハンドル部３３ａ、３３ｂが回動して開閉可能に連結する連結部３４とを有している。図１及び図２に示すように、連結部３４は、ハンドル３の後方、つまりローラー４と反対側の端部に配置されている。そして、一対のサブハンドル部３３ａ、３３ｂは連結部３４から前方へ向けて延設されており、側方方向に互いに並んで配置されている。このように、本例の美容器１は、一対の軸部２と連結部３４とが、一対のサブハンドル部３３ａ、３３ｂにおける互いに反対側の端部に設けられている。
【００３９】
一対のサブハンドル部３３ａ、３３ｂは互いに、美容器１の中心線を基準に略左右対称に形成されている。以下、第１サブハンドル部３３ａについて詳述し、第２サブハンドル部３３ｂにおいて、第１サブハンドル部３３ａと同等の構成についてはその説明を省略する。
【００４０】
図２に示すように、第１サブハンドル部３３ａは略棒状を呈する。図示しないが、第１サブハンドル部３３ａは構造的に剛性が高くなるように、前後方向に垂直な断面が略楕円状を呈している。また、図５に示すように、第１サブハンドル部３３ａは、ハンドル下側部３３１、ハンドル上側部３３２、芯材３３３及びハンドルカバー部３３４を有している。ハンドル下側部３３１、ハンドル上側部３３２及びハンドルカバー部３３４は第１サブハンドル部３３ａの外表面を形成する外表面形成部を構成している。
【００４１】
そして、図３に示すように、ハンドル下側部３３１及びハンドル上側部３３２は前後方向の全体にわたって延設されて、第１サブハンドル部３３ａの外形を形成している。ハンドル下側部３３１及びハンドル上側部３３２は第１サブハンドル部３３ａを上下方向に略半割りした形状を成しており、内側に空間が形成されている。図５に示すように、本実施例では、ハンドル下側部３３１及びハンドル上側部３３２は、電気絶縁性の樹脂よりなる。ハンドル下側部３３１の前方方向の端部には、軸部２が挿通される筒状部３３５が設けられている。ハンドル下側部３３１の内側面には円筒状のボス３３６が２個形成されている。ハンドル上側部３３２の前方方向の端部には、筒状部３３５の前方方向を覆う前端形成部３３２ａが形成されている。また、ハンドル上側部３３２には、ハンドル下側部３３１の２個のボス３３６に対向する位置に２個の嵌入穴３３２ｂが形成されている。そして、ハンドル下側部３３１の２個のボス３３６がハンドル上側部３３２の２個の嵌入穴３３２ｂに嵌入される。さらに、円筒カップ状のハンドルキャップ３３７を筒状部３３５と前端形成部３３２ａとを覆うように取り付ける。これらにより、ハンドル上側部３３２とハンドル下側部３３１とが組付られる。なお、ハンドルキャップ３３７の底部３３７ａには、軸部２が挿通可能な孔（図示せず）が形成されている。
【００４２】
芯材３３３は、その大半がハンドル下側部３３１及びハンドル上側部３３２の内側の空間に位置するように設けられている。芯材３３３は、ハンドル下側部３３１及びハンドル上側部３３２よりも高い剛性を有する。本実施例では、芯材３３３はＳＵＳなどのステンレス鋼、マグネシウム、マグネシウム合金等の金属製の板状部材からなる。芯材３３３の厚さは、より剛性を高めるために２ｍｍ以上とすることが好ましい。芯材３３３は、前方方向の端部である第１端部３７に貫通孔３７１が形成されている。貫通孔３７１には、導電性材料からなる軸部２の後端２ａが挿通されるとともに抜け止め用のナット２１が取り付けられている。これにより、貫通孔３７１は、軸部２を支持する軸支持部を構成するとともに、芯材３３３と軸部２とを電気的に接続している。
【００４３】
芯材３３は、一対のサブハンドル部３３ａ、３３ｂの長手方向、すなわち前後方向において、一対のサブハンドル部３３ａ、３３ｂの長手方向の長さの半分以上にわたって設けることが好ましく、本実施例では、芯材３３３は、一対のサブハンドル部３３ａ、３３ｂの長手方向において、一対のサブハンドル部３３ａ、３３ｂの全体にわたって設けられている。そして、一対のサブハンドル部３３ａ、３３ｂにおけるそれぞれの把持部３２は片手で一括して把持可能なように、把持部３２の長手方向の長さが一般的な人の掌の幅よりも大きくなっているとともに、一対のサブハンドル部３３ａ、３３ｂにおける互いの把持部３２の最短距離は一般的な人の掌の幅より小さくなっている。
【００４４】
一方、図５に示すように、芯材３３３は後方方向の端部である第２端部３８に、後述する連結部３４に接続される。第２端部３８は、ハンドル下側部３３１及びハンドル上側部３３２の内側の空間から外側に突出している。第２端部３８には、後述するハンドル軸３４０が挿通される貫通孔３８１と、後述するばね部材５１の第１端部５１１が係合される係合孔３８２と、後述する規制ピン５２が圧入される圧入穴３８３と、ハンドル下側部３３１のボス３３６が挿通されるボス挿通穴３８４とが形成されている。さらに、第２端部３８の外縁には、第２サブハンドル部３３ｂの芯材３３３に圧入された規制ピン５２が係合する切り欠き部３８５が形成されている。そして、芯材３３３は、ボス挿通穴３８４にボス３３６が挿通された状態で、ハンドル下側部３３１及びハンドル上側部３３２の内側に保持されている。圧入穴３８３には規制ピン５２が圧入されており、規制ピン５２は芯材３３３から所定長さ突出している。なお、接着剤を介して規制ピン５２を圧入穴３８３に固定してもよい。
【００４５】
そして、ハンドルカバー部３３４は、ＡＢＳ樹脂により構成されている。ハンドルカバー部３３４の表面にはクロムめっきが施されており、ハンドルカバー部３３４の表面は電気伝導性を有している。そして、ハンドルカバー部３３４の表面は、後述する太陽電池パネル６と電気的に接続されている。
【００４６】
図５に示すように、連結部３４は、ハンドル軸３４０、ばね部材５１、上部カラー３４２、中間部カラー３４３、下部カラー３４４、２個のワッシャー３４５、スプリングワッシャー３４６、及びナット３４７を備える。
【００４７】
図６に示すように、ハンドル軸３４０はピン状をなしており、先端３４０ａの外周面にはナット３４７が螺合できるようにネジ加工が施されている。上部カラー３４２は、円筒部３４２ａと、円筒部３４２ａの底部を形成するとともに貫通孔を有する円盤部３４２ｂと、円筒部３４２ａの上端から径方向外側に延設されたばねカバー部３４２ｃとを有する。中間部カラー３４３は、一対のサブハンドル部３３ａ、３３ｂの貫通孔３８１（図５参照）の内径と一致する外径を有する円筒状の円筒部３４３ａと、円盤状の円盤部３４３ｂとからなり、同様に、下部カラー３４４も円筒状の円筒部３４４ａと円盤状の円盤部３４４ｂとからなる。
【００４８】
そして、図６に示すように、中間部カラー３４３はその円筒部３４３ａが第１サブハンドル部３３ａにおける第２端部３８の貫通孔３８１に嵌め込まれ、下部カラー３４４はその円筒部３４４ａが第２サブハンドル部３３ｂにおける第２端部３８の貫通孔３８１（図５参照）に嵌め込まれている。そして、図６に示すように、ハンドル軸３４０は、一対のサブハンドル部３３ａ、３３ｂにおける一対の芯材３３３の貫通孔３８１を同一軸線Ｌ１上に重ねて、該貫通孔３８１に挿通されている。これにより、下部カラー３４４の円盤部３４４ｂが一対のサブハンドル部３３ａ、３３ｂの第２端部３８に挟まれるようになっている。
【００４９】
図５に示すように、ばね部材５１は、ねじりばねからなる。ばね部材５１は、高い弾性を有する線材がらせん状に巻回されてなる巻回部５１０と、当該線材の一方の端部である第１端部５１１と、他方の端部である第２端部５１２とを備える。図６に示すように、ばね部材５１は、巻回部５１０の軸心Ｌ２がハンドル軸３４０の軸線Ｌ１と一致するように、一対のサブハンドル部３３ａ、３３ｂの第２端部３８に重ねられている。そして、図９に示すように、ばね部材５１の第１端部５１１は第１サブハンドル部３３ａにおける芯材３３３の係合孔３８２に係合され、図８に示すように、ばね部材５１の第２端部５１２は第２サブハンドル部３３ｂにおける芯材３３３の係合孔３８２に係合されている。なお、図９に示すように、第２サブハンドル部３３ａの係合孔３８２に係合された第２端部５１２の先端には、抜け止め用のプッシュナット３４８が取り付けられている。
【００５０】
そして、図５、図６に示すように、上部カラー３４２の円盤部３４２ｂの貫通孔にハンドル軸３４０が挿通されるとともに、上部カラー３４２におけるばねカバー部３４２ｃがばね部材５１の巻回部５１０における上面の一部及び外周面の一部を覆っている。そして、ハンドル軸３４０に２個のワッシャー３４５及びスプリングワッシャー３４６を介してナット３４７が取り付けられている。ばねカバー部３４２ｃがばね部材５１の巻回部５１０における上面の一部及び外周面の一部を覆うことにより、ばね部材５１の抜けが防止されている。なお、スプリングワッシャー３４６は２個のワッシャー３４５の間に位置している。スプリングワッシャー３４６により、ハンドル軸３４０の軸方向の誤差の吸収とガタツキの抑制が図られている。また、各カラー３４２〜３４３及びワッシャー３４５によって、一対のサブハンドル部３３ａ、３３ｂの回動によってハンドル軸３４０等に生じる摩擦を低減して緩みの発生を防止している。
【００５１】
そして、図７（ａ）、図７（ｂ）に示すように、上述の如く連結部３４によって連結された一対のサブハンドル部３３ａ、３３ｂは、回動支点としてのハンドル軸３４０を中心として回動して開閉動作が可能なように構成されている。そして、ばね部材５１は、一対のサブハンドル部３３ａ、３３ｂが閉じる方向に付勢する付勢力を一対のサブハンドル部３３ａ、３３ｂに付与している。これにより、使用者が一対のサブハンドル部３３ａ、３３ｂの先端の一対のローラー４を肌面に押し当てることにより、一対のサブハンドル部３３ａ、３３ｂはばね部材５１の付勢力に抗して開く方向に回動するように構成されている。
【００５２】
そして、図８に示すように、連結部３４により一対のサブハンドル部３３ａ、３３ｂが連結された状態において、第２サブハンドル部３３ｂの芯材３３３の圧入穴３８３に圧入された規制ピン５２は、第１サブハンドル部３３ａの切り欠き部３８５内に位置している。同様に、図９に示すように、第１サブハンドル部３３ａの芯材３３３の圧入穴３８３に圧入された規制ピン５２は、第２サブハンドル部３３ｂの切り欠き部３８５内に位置している。
【００５３】
図５、図６に示すように、連結部３４は、筒状の連結部カバー３５により覆われている。連結部カバー３５は、エラストマーより構成されている。初期状態において一対のサブハンドル部３３ａ、３３ｂの後方端部の間に位置して表出しているカバー本体部３５１と、一対のサブハンドル部３３ａ、３３ｂの後方端部に向けてカバー本体部３５１から延設されるとともに、図７（ａ）に示す初期状態において、一対のサブハンドル部３３ａ、３３ｂの後方端部の内側に位置する一対のカバー延設部３５２とを有する。一対のカバー延設部３５２の延設方向端部は開口しており、一対のサブハンドル部３３ａ、３３ｂに組み付けられた状態において、連結部カバー３５の筒内空間３５３は、一対のサブハンドル部３３ａ、３３ｂの内側の空間と連通している。
【００５４】
図６に示すように、カバー本体部３５１の内側面には、上部カラー３４２の円筒部３４２ａの内側に嵌入される円筒状の内側リブ３５６が立設されている。当該内側リブ３５６が円筒部３４２ａに嵌入されることにより、連結部カバー３５が連結部３４に固定されている。これにより、一対のサブハンドル部３３ａ、３３ｂの開閉動作に伴ってカバー本体部３５１が移動することが抑制されている。また、図７（ａ）に示すように、カバー本体部３５１の後方方向の端部であるカバー後端部３５４はＶ字型に形成されている。これにより、一対のサブハンドル部３３ａ、３３ｂが図７（ａ）に示す初期状態から開く方向に開閉動作するにつれて、一対のサブハンドル部３３ａ、３３ｂがハンドル軸３４０を支点として回動して、図７（ｂ）に示すように、一対のサブハンドル部３３ａ、３３ｂの後方端部において互いに対向する領域の最後部の間隔Ｐが狭くなっていく。そして、カバー後端部３５４がＶ字型であるために、一対のサブハンドル部３３ａ、３３ｂの後方端部における最後部の間隔Ｐが狭くなるのに追従して、カバー後端部３５４が圧縮変形されやすくなっている。一方、一対のサブハンドル部３３ａ、３３ｂの後方端部において互いに対向する領域の前方端部の間隔Ｑは、図７（ａ）に示す初期状態から一対のサブハンドル部３３ａ、３３ｂが初期状態から開くにつれて図７（ｂ）に示すように広くなっていく。これにより、一対のサブハンドル部３３ａ、３３ｂの後方端部は、カバー本体部３５１から離れることとなるが、カバー本体部３５１から延設された一対のカバー延設部３５２がカバー本体部３５１と一対のサブハンドル部３３ａ、３３ｂの後方端部との間に露出することとなる。そのため、カバー本体部３５１と一対のサブハンドル部３３ａ、３３ｂとの間から内部が見えることが防止される。
【００５５】
また、図２に示すように、一対のサブハンドル部３３ａ、３３ｂには、太陽電池部６が設けられている。図５及び図１０に示すように、太陽電池部６は、レンズ６１、太陽電池パネル６２、基板６３、第１接続端子６４、第２接続端子６５、通電ねじ６６を有する。太陽電池パネル６２には一対の端子６２ａが接続されて、基板６３の上面に配設される。一対の端子６２ａは基板６３に設けられた貫通孔を有する一対のボス６３ａの上に位置している。そして、レンズ６１が太陽電池パネル６２の全域を覆うように基板６３にねじ６１ａにより取り付けられる。レンズ６１と基板６３との間には、基板６３の外縁に沿ってシール部材６３ｂが設けられている。これにより、レンズ６１と基板６３との間の空間の水密性が保たれており、太陽電池パネル６２を外部から防水している。かかる構成を有する太陽電池部６は、図１１に示すように、単一のユニットを形成している。そして、図５に示すように、ハンドル上側部３３２には貫通部６１０が形成されている。太陽電池部６は、貫通部６１０からレンズ６１が表出されるように、ねじ６７によりハンドル上側部３３２の内側面に取り付けられている。
【００５６】
図１０、図１１に示すように、基板６３の下面には、第１接続部材６４及び第２接続部材６５が設けられている。図５に示すように、第１接続部材６４及び第２接続部材６５には導電性を有する通電ねじ６６が挿通される貫通孔６４ａ、６５ａが形成されている。第１接続部材６４及び第２接続部材６５は貫通孔６４ａ、６５ａに挿通された通電ねじ６６が基板６３の一対のボス６３ａに螺入されることにより、基板６３の下面に固定される。さらに、図１０に示すように、一対のボス６３ａに螺入された通電ねじ６６の先端が太陽電池パネル６２の端子６２ａに当接している。これにより、第１接続部材６４及び第２接続部材６５は、通電ねじ６６を介して太陽電池パネル６２の端子６２ａに電気的に接続されている。
【００５７】
図１０、図１１に示すように、第１接続部材６４は、芯材３３３に向けて延出して芯材３３３に当接する第１接続部６４ｂを有する。一方、第２接続部材６５は、ハンドルカバー部３３４の内側面に当接するように延出した第２接続部６５ｂを有する。これらにより、第１接続部材６４、第２接続部材６５を介して、太陽電池パネル６２が、ハンドルカバー部３３４及び芯材３３と電気的に接続されている。そして、芯材３３はローラー４と通電可能に接続されているため、使用者がハンドル３を把持してローラー４を肌面に当接させることにより、閉回路が形成される。これにより、太陽電池パネル６２の起電力により人体に電流を流すことができる。
【００５８】
次に、本例の美容器１の使用態様を説明する。美容器１を使用する際、まず使用者は、一対のサブハンドル部３３ａ、３３ｂのハンドルカバー部３３４を手のひらに接触させつつ、太陽電池部６に光が入射するようにして把持部３２を把持する。そして、図３に示すように、把持部３２が肌面８に沿うようにして一対のローラー４を肌面８に押し当てる。このようにローラー４を肌面８に押し当てることにより、一対の軸線Ａを含む平面Ｐが肌面８に対して傾斜した状態となる。
【００５９】
一対のローラー４を肌面８に当接させた状態から、一対のローラー４を肌面８に押し当てる力をさらに強くすることにより、図７（ｂ）に示すように、ばね部材５１の付勢力に抗して矢印１０２の方向にハンドル３が開き、図４において矢印１００で示すように、一対のローラー４の間隔ｄを押し広げることができる。本例の美容器１における一対の軸部２は、一対のローラー４の間隔ｄが初期状態から変更された状態及び初期状態のいずれの状態においても、ハンドル３側の基部から先端側へ向かうにつれて一対の軸線Ａの間隔が広がった拡開状態を維持するよう構成されている。すなわち、本例の美容器１は、常に、拡開状態となるよう構成されている。
【００６０】
そして、一対のサブハンドル部３３ａ、３３ｂが初期状態から開くと、図８、図９に示すように、第１サブハンドル部３３ａの芯材３３３がハンドル軸３４０を支点として矢印１０２ａの方向に回動するとともに、第２サブハンドル部３３ｂの芯材３３３がハンドル軸３４０を支点として矢印１０２ｂの方向に回動する。これに伴って、規制ピン５２が後方方向に移動することとなる。そして、両芯材３３３が開く方向へ所定量回動すると、規制ピン５２が切り欠き部３８５の後方端面３８５ａに当接して、両芯材３３３がこれ以上開く方向へ回動することが規制される。また、初期状態では、ばね部材５１によって第１サブハンドル部３３ａの芯材３３３は、矢印１０２ｂの方向に付勢されるとともに、第２サブハンドル部３３ｂの芯材３３３は、矢印１０２ａの方向に付勢されている。これにより、一対のサブハンドル部３３ａ、３３ｂは閉じる方向に付勢されるとともに、規制ピン５２が切り欠き部３８５の前方端面３８５ｂに当接して、両芯材３３３がこれ以上閉じる方向へ回動することが規制されている。
【００６１】
本例の美容器１における規制ピン５２及び切り欠き部３８５は、一対のサブハンドル部３３ａ、３３ｂを開閉させた際に、一対のローラー４の間隔ｄを１〜５０ｍｍの範囲内で変更できるように設計されている。そして、金属製の板材からなる芯材３３３が備えられるため、一対のローラー４の間隔ｄが最大となった状態では一対のローラー４を肌面８に押し当てる力を大きくしても、一対のサブハンドル部３３ａ、３３ｂの弾性変形が生じにくく、一対のローラー４の間隔ｄがこれ以上大きくならないように構成されている。
【００６２】
そして、一対のローラー４を肌面８に当接させた状態において、美容器１をローラー４側からハンドル３側へ向かう方向へ移動させることにより、図３及び図４に示すように美容効果を得たい部分が一対のローラー４の間に巻き込まれ、肌面８が上記一対のローラー４により摘み上げられるように変形する。
【００６３】
この時、美容器１を移動させると共に、一対のサブハンドル部３３ａ、３３ｂを閉じる方向に力をかけることにより、一対のローラー４の間に挟みこまれた部分にかかる押圧力を大きくすることができる。
【００６４】
また、ローラー４が肌面８と接触し、かつ、ハンドル３のハンドルカバー部３３４が手のひらと接触している間は、太陽電池パネル６、ローラー４、ハンドルカバー部３３４及び人体を含む閉回路が形成される。そのため、太陽電池パネル６２の起電力により、ローラー４と接触する人体肌に電流を流すことができる。
【００６５】
次に、本例の作用効果について説明する。
【００６６】
本実施例の美容器１によれば、連結部３４により一対のサブハンドル部３３ａ、３３ｂが一つの回動支点であるハンドル軸３４０で回動して開閉可能なように連結されている。これにより、一対のサブハンドル部３３ａ、３３ｂが個別の回動支点で回動する場合に比べて、一対のサブハンドル部３３ａ、３３ｂにおける相対的な力加減の調節が容易となる。その結果、肌面８の摘み上げを行いやすくなり、美容効果の向上が図られる。また、一対のサブハンドル部３３ａ、３３ｂを初期状態に戻すための付勢力についても、一対のサブハンドル部３３ａ、３３ｂが個別の回動支点で回動することを考慮する必要がないため、付勢部材５としてのばね部材５１の設計自由度の低下が防止される。
【００６７】
また、一対のサブハンドル部３３ａ、３３ｂは一対のローラー４の軸部２を支持するとともに、開閉可能に連結されている。これにより、使用者は、美容効果を得たい部分に一対のローラー４を押し当てることにより一対のサブハンドル部３３ａ、３３ｂを押し広げることができ、使用する部位の形状に応じて一対のローラー４の間隔ｄを適宜調整できる。その結果、本例の美容器１は、顔や腕等の比較的起伏の大きい部分から腹部等の比較的起伏の小さい部分まで好適に使用することができるものとなる。
【００６８】
また、本例の美容器１では、使用者が一対のサブハンドル部３３ａ、３３ｂの開閉の度合いを調節することにより、美容効果を得たい部分に加わる押圧力を容易に調節することができる。そのため、美容器１は、取り扱いが容易である。また、一対のローラー４による押圧力により、押圧される部分の肌の血行が促進されたり、新陳代謝を活性化するなどの効果が期待でき、ひいては肌を美しくする等の優れた美容効果を期待できる。
【００６９】
また、本例の美容器１は、一対のサブハンドル部３３ａ、３３ｂの相対位置関係を初期状態に戻すための付勢力を発生させる付勢部材としてのばね部材５１を有している。これにより、一対のサブハンドル部３３ａ、３３ｂが開く方向に回動して一対のローラー４の間隔ｄが広がった状態において、付勢部材による付勢力が各々のローラー４に作用し、一対のローラー４が互いに近づく方向に付勢される。そのため、一対のローラー４の間に挟み込まれた部分に適度に大きな押圧力を加えることができる。その結果、より優れた美容効果を期待できる。
【００７０】
さらに、本例の美容器１では、一対のサブハンドル部３３ａ、３３ｂは、ハンドル軸３４０を回動支点にして回動する際に一対のサブハンドル部３３ａ、３３ｂがねじれることを防止するねじれ防止部材としての芯材３３３を有する。一対のローラー４を肌面８に押し当てたときに、一対のサブハンドル部３３ａ、３３ｂがねじれるように変形すると、一対のサブハンドル部３３ａ、３３ｂが支持する軸部２の角度θが変化して、一対のローラー４による肌面８の摘み上げが十分に行えず、美容効果が低下するおそれがある。しかし、上述のごとく、ねじれ防止部材としての芯材３３３を有することにより、一対のサブハンドル部３３ａ、３３ｂがねじれるように変形することが防止されるため、一対のサブハンドル部３３ａ、３３ｂが支持する軸部２の角度θが維持されて、美容効果の低下が防止される。
【００７１】
また、本例の美容器１では、一対のサブハンドル部３３ａ、３３ｂは、一対のサブハンドル部３３ａ、３３ｂの外表面を形成する外表形成部としてのハンドル下側部３３１、ハンドル上側部３３２及びハンドルカバー部３３４を有する。そして、ねじれ防止部材は、外表形成部の内側に配設されるとともに、該外表形成部よりも高い剛性を有する芯材３３３からなる。これにより、ねじれ防止部材としての芯材３３３により一対のサブハンドル部３３ａ、３３ｂのねじれを防止して美容効果の低下を防止することができるとともに、外表形成部としてのハンドル下側部３３１、ハンドル上側部３３２及びハンドルカバー部３３４により、使用者が把持しやすい形状としたり、高い意匠性を奏する形状としたりするなどの設計自由度が高めることができる。
【００７２】
また、本例の美容器１では、芯材３３３としてステンレス鋼板を用いている。これにより、十分な剛性を得ることができ、一対のサブハンドル部３３ａ、３３ｂのねじれを防止して美容効果の低下を防止している。
【００７３】
また、本例の美容器１では、芯材３３は、一対のサブハンドル部３３ａ、３３ｂの長手方向において、一対のサブハンドル部３３ａ、３３ｂの長手方向の長さの半分以上にわたって設けられている。これにより、一対のサブハンドル部３３ａ、３３ｂの剛性が高まって一対のサブハンドル部３３ａ、３３ｂのねじれを一層防止することができる。
【００７４】
さらに、本例の美容器１では、芯材３３３は、一対のサブハンドル部３３ａ、３３ｂの長手方向において、一対のサブハンドル部３３ａ、３３ｂの全体にわたって設けられている。これにより、一対のサブハンドル部３３ａ、３３ｂの剛性がさらに高まって一対のサブハンドル部３３ａ、３３ｂのねじれをより一層防止することができる。
【００７５】
さらに、本例の美容器１では、一対の芯材３３３は、それぞれその端部３８に貫通孔３８１を有し、連結部３４の回動支点は、一対の芯材３３３の貫通孔３８１を同一軸線Ｌ１上に重ねて、貫通孔３８１にハンドル軸３４０を挿通することにより構成されている。これにより、簡易な構成で一対のサブハンドル部３３ａ、３３ｂを一つの回動支点で回動させることができる。
【００７６】
さらに、本例の美容器１では、芯材３３３は、貫通孔３８１が設けられた第２端部３８と反対側の第１端部３７に軸部２を支持する軸支部としての貫通孔３７１が設けられている。これにより、使用者が一対のサブハンドル部３３ａ、３３ｂの開閉の度合いを調節することにより、一対のローラー４の間隔ｄを変更できる。そのため、一対のサブハンドル部３３ａ、３３ｂの開閉動作の大きさと、一対のローラー４の間隔ｄの変化量との関係が使用者にとって感覚的に把握し易くなる。また、一対のサブハンドル部３３ａ、３３ｂの開閉の度合いを調節することにより、美容効果を得たい部分に加わる押圧力を容易に調節することができる。その結果、美容器１の扱い易さをより向上させることができ、より優れた美容効果を期待できる。
【００７７】
また、美容器１は、一対のローラー４の間隔ｄが広がった状態においては、付勢部材５による付勢力が各々のローラー４に作用し、一対のローラー４が互いに近づく方向に付勢される。そのため、一対のローラー４に押圧される部分の肌の血行が促進されたり、新陳代謝を活性化するなどの効果が期待でき、ひいては肌を美しくする等の美容効果を期待できる。
【００７８】
また、美容器１は、開閉規制部としての規制ピン５２と切り欠き部３８５を有している。そのため、美容器１は、一対のローラー４の間隔ｄが過度に広くなることを確実に防止でき、美容器１の破損を確実に防止できる。
【００７９】
また、一対の軸部２は、常に、ハンドル３側の基部から先端側に向かうにつれて一対の軸線Ａの間隔が広がる拡開状態となるよう配置されている。つまり、美容器１は、初期状態において上記拡開状態が実現されることにより、使用者にとってより扱い易いものとなる。また、一対のローラー４の間隔ｄが初期状態から変更された状態において上記拡開状態が実現されることにより、一対のローラー４の間に挟まれた部分において体感する押圧力を適度に大きくでき、より優れた美容効果を期待できる。
【００８０】
また、ハンドル３は、一対の軸線Ａを含む平面Ｐに対して傾いている。さらに、本例においては、規制ピン５２と切り欠き部３８５は、一対のサブハンドル部３３ａ、３３ｂを開閉させた際に、一対のローラー４の間隔ｄを１〜５０ｍｍの範囲で変更できるように設計されている。一対のローラー４の間隔ｄを適切な範囲に保つことにより、上述した肌の摘み上げによる作用を確実に体感させることができる。その結果、より優れた美容効果を期待できる。
【００８１】
また、ローラー４は、略球体形状を呈している。そのため、ローラー４による押圧力が集中し易くなり、使用者が体感する押圧力が十分に大きくなりやすい。また、一対のローラー４を肌に押し付けつつ回転させる動作をよりスムーズに行うことができ、美容器１の扱い易さをより向上させることができる。
【００８２】
また、ハンドル３は太陽電池部６を有しており、太陽電池パネル６２の起電力により、ローラー４と接触する人体肌に電流を流すことができるよう構成されている。そのため、美容器１の使用により、より優れた美容効果を期待できる。
【００８３】
また、太陽電池部６は、単一のユニットを形成しており、太陽電池パネル６２は、シール部６３ｂにより外部からシールされて防水が図られている。これにより、太陽電池部６が備えられるサブハンドル部３３ａ、３３ｂ全体の防水性を確保しなくとも、太陽電池パネル６２の防水性を確保できるため、サブハンドル部３３ａ、３３ｂ全体の防水性を確保するためのシール部材が不要となり、部品点数を削減できる。さらに、太陽電池部６が単一のユニットを形成しているため、サブハンドル部３３ａ、３３ｂに外力がかかって、ハンドル下側部３３１、ハンドル上側部３３２及びハンドルカバー３３４が撓んだりした場合でも、太陽電池部６自体は変形しにくい。そのため、かかる場合でも太陽電池パネル６２の防水性を維持しやすくなっている。
【００８４】
また、本例では、一対のサブハンドル部３３ａ、３３ｂの外表形成部としてのハンドル下側部３３１、ハンドル上側部３３２及びハンドルカバー３３４により、一対のサブハンドル部３３ａ、３３ｂの外表の前後方向の断面が略楕円形となっている。これにより、外表形成部も構造上、剛性の向上が図られている。その結果、芯材３３３とともに一対のサブハンドル部３３ａ、３３ｂ全体の剛性の向上が図られており、一対のサブハンドル部３３ａ、３３ｂのねじれが一層防止されている。
【００８５】
なお、一対のサブハンドル部３３ａ、３３ｂをそれぞれ、金属からなる一体物として形成することとしてもよい。この場合は、一対のサブハンドル部３３ａ、３３ｂ自体が芯材としても機能することとなるため、一対のサブハンドル部３３ａ、３３ｂの剛性を一層高めることができる。その結果、一対のサブハンドル部３３ａ、３３ｂのねじれを一層防止することができる。
【００８６】
一対のサブハンドル部３３ａ、３３ｂの剛性が過度に低い場合には、美容効果を得たい部分を一対のローラー４により押圧しようとすると、サブハンドル部３３ａ、３３ｂが撓むおそれがある。そのため、場合によっては一対のサブハンドル部３３ａ、３３ｂを閉じる方向に開閉動作を行っても一対のローラー４の間隔ｄが十分に狭められず、美容効果を得たい部分に加わる押圧力が十分に体感できなくなるおそれがある。一方、本例の美容器１は、上記の構成を有することにより、かかる問題を回避でき、ハンドル３の開閉動作により美容効果を得たい部分に加わる押圧力を十分に大きくすることができる。以上の結果、美容器１は、体感できる押圧力を十分に大きくでき、より優れた美容効果を期待できる。
【００８７】
以上のように、美容器１は、身体各部に好適に使用できると共に、優れた美容効果を期待できる。
【００８８】
（評価試験）
上記実施例の美容器１について、官能試験による評価試験を行った。試験例として上記実施例の美容器１を用意し、比較例として、図１２に示す従来の美容器９００を用意した。図１２に示すように、従来の美容器９００は、一対のサブハンドル部９３３はＡＢＳ樹脂製であって、芯材３３３を有していない。一対のサブハンドル部９３３の前方方向の端部には図示しないが、本実施例の美容器１のローラー４と同一の構成を有する一対のローラーが設けられている。
【００８９】
そして、一対のサブハンドル部９３３の連結部９３４には、連結プレート９５３と板バネ９５１とが設けられている。連結プレート９５３は平面視で略Ｕ字型を成しており、一対の貫通孔９５４と一対の規制溝９５６を有する。一対の貫通孔９５４には、サブハンドル部９３３の内側面から突出形成されたボス９５５が挿通されている。これにより、一対のサブハンドル部９３３が連結されている。また、一対の規制溝９５６内にはサブハンドル部９３３の内側面から突出形成された規制ピン９５２が位置している。当該比較例の美容器９００では、一対の貫通孔９５４に挿通されたボス９５５を回動支点として、一対のサブハンドル部９３３がそれぞれ別個に回動して開閉可能となっている。そして、一対のサブハンドル部９３３の開閉可能な範囲は、一対の規制溝９５６内に位置する規制ピン９５２が規制溝９５６内を移動できる範囲となっている。比較例の美容器９００では、ローラー間の距離が本実施例の美容器１と同様に１〜５０ｍｍの範囲となるように、規制ピン９５２及び規制溝９５６を設定してある。
【００９０】
評価方法は以下の通りである。まず、２０歳代から５０歳代の男性１５人と女性１６人の合計３１人を被験者とした。
評価試験１として、被験者に目隠しをした状態で、被験者とは別の施術者が、上記試験例の美容器１と比較例の美容器９００とを用いてふくらはぎに施術し、被験者の体感を評価した。なお、施術者は、試験例の美容器１及び比較例の美容器９００のいずれにおいても、同じ強さ、速さになるようにして施術を行った。
また、評価試験２として、被験者自身が上記試験例の美容器１と比較例の美容器９００とを用いて、自己のふくらはぎに施術し、その体感を評価した。
体感の評価は、両美容器によって施術した後、使用したいと感じる方を選ぶものとした。
以下の表１に、評価試験１、２の結果を示す。
【００９１】
【表１】
2018191898.tif 000003
【００９２】
表１に示すように、評価試験１では、試験例の美容器１を使用したい割合は７１％であって全被験者３１人中の２２人が試験例の美容器１を選んだ。一方、評価試験１で比較例の美容器９００を使用したい割合は２３％であって全被験者３１人中の７人が比較例の美容器９００を選んだ。また、評価試験２では、試験例の美容器１を使用したい割合は８４％であって全被験者３１人中の２６人が試験例の美容器１を選んだ。一方、評価試験２で比較例の美容器９００を使用したい割合は１０％であって全被験者３１人中の３人が比較例の美容器９００を選んだ。
【００９３】
以上のように、評価試験１、２のいずれにおいても、試験例の美容器１を使用したい割合は、比較例の美容器９００の場合に比べて高かった。これは、比較例の美容器９００では、芯材３３３を有していないため、ローラーを肌面に押し当てるとサブハンドル部９３３がねじれて、ローラー間の距離が広がることにより肌面の摘み上げが十分には行われずに体感が低下したためと推察される。
【００９４】
また、比較例の美容器９００では、一対のサブハンドル部９３３が個別の回動支点で回動するため、最適なローラー間距離を維持するための一対のサブハンドル部９３３への力加減の調節が難しいが、試験例の美容器１では、一対のサブハンドル部３３ａ、３３ｂが一つの回動支点であるハンドル軸３４０で回動するため、上記力加減の調節が容易であったことも推察される。
【００９５】
以上のように、評価試験１、２により、本実施例１の美容器１では、比較例の美容器９００に比べて体感が向上していることが確認できた。
【符号の説明】
【００９６】
１  美容器
２  軸部
３  ハンドル
３３ａ、３３ｂ  サブハンドル部
３４  連結部
３３３  芯材
３８１  軸孔
４  ローラー
５  付勢部材
５１  ばね部材
Ａ  軸線
【図１】
2018191898.tif 000004
【図２】
2018191898.tif 000005
【図３】
2018191898.tif 000006
【図４】
2018191898.tif 000007
【図５】
2018191898.tif 000008
【図６】
2018191898.tif 000009
【図７】
2018191898.tif 000010
【図８】
2018191898.tif 000011
【図９】
2018191898.tif 000012
【図１０】
2018191898.tif 000013
【図１１】
2018191898.tif 000014
【図１２】
2018191898.tif 000015